(57)【特許請求の範囲】
【請求項１】
壁体に設けられた矩形状の開口部の下縁部に防水透湿シートを介して取り付けられたサッシ下枠の取付構造において、
前記防水透湿シートは、前記開口部の大きさに対応した大きさの矩形状のシート開口部を有するとともに該シート開口部を介して前記開口部を露出させて前記壁体の表面に貼り付けられたシート本体と、前記シート開口部の下縁部から延出され、前記シート本体が貼り付けられた前記壁体の表面と連続する前記開口部の下側内面に貼り付けられた延出片とを備え、
前記サッシ下枠は、前記延出片と、前記シート本体の前記シート開口部の下縁部との上から前記開口部の下縁部に取り付けられており、
前記壁体に設けられた前記開口部の下縁部の両端部には、前記サッシ下枠の裏側で、前記両端部のそれぞれを前記壁体の表面側から覆う止水プレートが前記防水透湿シートを介して取り付けられており、
前記止水プレートは、矩形の板状をなすとともにコーナー部に略Ｌ字状の切欠部が設けられた第１止水片と、この第１止水片の略Ｌ字状の切欠部の２辺部から、それぞれ前記第１止水片に対して略直交するように立設されるとともに互いに略直交して接合された板状の第２止水片及び第３止水片とを備え、前記第２及び第３止水片が前記下側内面の端部と前記下側内面と直交する内面の端部とに取り付けられているとともに前記第１止水片が前記壁体の表面に取り付けられていることを特徴とするサッシ下枠の取付構造。
【発明の詳細な説明】
【０００１】
【発明の属する技術分野】
本発明は、壁体に設けられた開口部に取り付けられるサッシ枠のサッシ下枠の取付構造に関する。
【０００２】
【背景の技術】
従来、壁パネル等の壁体に外壁材となるサイディング等を取り付ける場合、前記壁体の表面に予め防水透湿シートを取り付けて、壁体の表面に防水処理を施している。斯かる壁体にサッシ枠等を取り付けるための開口部が設けられている場合、この開口部にサッシ枠を取り付ける際には、例えば、特開２００１−２０４１０号公報に示されているように、開口部の下縁部から壁体内部に雨水が浸入するのを防ぐべく、サッシ枠の取り付けの前に以下のような防水処理を行っていた。
【０００３】
即ち、まず、防水性及び透湿性を有する防水透湿シートに、壁体の開口部の大きさに対応した大きさのシート開口部を設け、このシート開口部を壁体の開口部に合わせた状態で、防水透湿シートを壁体の表面、つまり屋外面に貼り付ける。そして、前記表面における開口部の下縁部、即ち壁体の表面と開口部の下側内面とが連続する部分に、この下縁部を覆うように縦断面視略Ｌ字状に形成された縁部止水材と、下縁部の両端部を覆うように形成された止水プレートとを一体化した状態で取り付け、その後、開口部の下縁部にサッシ枠のサッシ下枠を取り付ける。
【０００４】
【発明が解決しようとする課題】
しかしながら、上記のように防水透湿シートを貼り付けるとともに縁部止水材を取り付けて防水処理を施した開口部の下縁部にサッシ下枠を取り付けた場合には、前記下縁部では、防水透湿シートと縁部止水材とが重なった状態で防水処理が施されたこととなるため、施工の際に２重に防水処理を施す分、手間がかかるとともに、コストがかさむといった問題があった。
【０００５】
本発明の課題は、サッシ下枠が取り付けられる開口部の下縁部を、低コストで容易に、十分な防水処理を施した状態とすることができるサッシ下枠の取付構造を提供することである。
【０００６】
【課題を解決するための手段】
以上の課題を解決するため、請求項１記載の発明は、図１及び図２に示すように、壁体５に設けられた矩形状の開口部２の下縁部に防水透湿シート６を介して取り付けられたサッシ下枠の取付構造において、前記防水透湿シート６は、前記開口部２の大きさに対応した大きさの矩形状のシート開口部１３を有するとともに該シート開口部１３を介して前記開口部２を露出させて前記壁体５の表面２１に貼り付けられたシート本体１１と、前記シート開口部１３の下縁部１２から延出され、前記シート本体１１が貼り付けられた前記壁体５の表面と連続する前記開口部２の下側内面２２に貼り付けられた延出片１４とを備え、前記サッシ下枠３は、前記延出片１４と、前記シート本体１１の前記シート開口部１３の下縁部１２との上から前記開口部２の下縁部２６に取り付けられており、
前記壁体５に設けられた前記開口部２の下縁部２６の両端部２５，２５には、前記サッシ下枠３の裏側で、前記両端部２５，２５のそれぞれを前記壁体５の表面２１側から覆う止水プレート７が前記防水透湿シート６を介して取り付けられており、
前記止水プレート７は、矩形の板状をなすとともにコーナー部に略Ｌ字状の切欠部９０が設けられた第１止水片５１と、この第１止水片の略Ｌ字状の切欠部９０の２辺部から、それぞれ前記第１止水片５１に対して略直交するように立設されるとともに互いに略直交して接合された板状の第２止水片５２及び第３止水片５３とを備え、前記第２止水片５２及び第３止水片５３が前記下側内面２２の端部２５と前記下側内面２２と直交する内面２４の端部とに取り付けられているとともに前記第１止水片５１が前記壁体５の表面２１に取り付けられていることを特徴とする。
【０００７】
請求項１記載の発明によれば、壁体５の表面２１には、シート開口部１３を介して開口部２を露出させるようにシート本体１１が貼り付けられ、この壁体５の表面２１と連続した開口部２の下側内面２２には、シート開口部１３の下縁部１２から延出された延出片１４が貼り付けられ、サッシ下枠３は、延出片１４と、シート本体１１のシート開口部１３の下縁部１２との上から開口部２の下縁部２６に取り付けられているので、サッシ下枠３が取り付けられる開口部２の下縁部２６、つまり壁体５の表面２１と開口部２の下側内面２２とが連続している部分は、防水透湿シート６によって覆われた状態となっている。即ち、壁体５の表面２１及び開口部２の下側内面２２に連続して貼り付けられた防水透湿シート６によって、サッシ下枠３が取り付けられた開口部２の下縁部２６から壁体５内部への雨水の浸入が防がれる状態、つまり防水透湿シート６のみで開口部２の下縁部２６の防水処理が施された状態となり、従来と異なり縁部止水材を開口部２に取り付ける必要がない分、サッシ下枠３が取り付けられる開口部２の下縁部２６を、低コストで容易に、十分な防水処理を施した状態とすることができる。
【０００９】
また、防水透湿シート６を介して取り付けられた止水プレート７は、下縁部２６の両端部２５，２５のそれぞれを覆っており、サッシ下枠３は、前記止水プレート７，７の上から開口部２の下縁部１２に取り付けられることになり、止水プレート７によって、サッシ下枠３の裏側における開口部２の下縁部２６の両端部２５をそれぞれ確実に防水することができる。
【００１１】
また、止水プレート７は、その第１止水片と第２止水片と第３止水片とで、壁体５の表面２１と、下側内面２２と、該下側内面２２と直交する内面２４とにおける、開口部２の下縁部２６の端部２５の角部をそれぞれ覆っているので、止水プレート７を取り付けることによって、開口部２の下縁の両角部を確実に防水することができる。
【００１６】
【発明の実施の形態】
以下、図１及び図２を参照して本発明の実施の形態を詳細に説明する。
本発明に係るサッシ下枠の取付構造１は、図１に示すように、壁体５に設けられた矩形状の開口部２の下縁部２６に防水透湿シート６を介してサッシ下枠３が取り付けられる防水透湿シート付き壁体９と、該防水透湿シート付き壁体９内部への水の浸入を遮るための止水プレート７と、防水透湿シート付き壁体９の開口部２の下縁部２６に取り付けられたサッシ下枠３等とからなる。
【００１７】
防水透湿シート付き壁体９は、壁体５と、防水透湿シート６等とからなる。
壁体５は、図２（ａ）に示すように、従来のパネル工法において建物躯体として用いられる２つの壁パネル８０，８０、小壁パネル８１及び腰壁パネル８２等から形成されている。即ち、壁体５は、平面視において２つの壁パネル８０，８０を離間させて並設し、これら壁パネル８０，８０の上端部どうし及び下端部どうしの間に小壁パネル８１及び腰壁パネル８２を離間させて設けることによって形成されている。また、このように形成された壁体５において、２つの壁パネル８０，８０、小壁パネル８１及び腰壁パネル８２で囲まれる内側部分には、開口部２が設けられている。
防水透湿シート６は、壁体５の開口部２の大きさに対応した大きさのシート開口部１３を有したシート本体１１と、シート開口部１３の下縁部１２からシート開口部１３の内側に延出された延出片１４とを備えている。シート本体１１は、壁体５の屋外面（図１（ａ）における左側の側面、以下、表面とする）２１に、この表面２１を覆うとともにシート開口部１３を介して開口部２を露出させるように貼り付けられている。また、防水透湿シート６は開口部２の下側内面２２の側縁部、即ち下縁部２６に沿った部分で、該下縁部２６に沿って折曲され、シート本体１１が貼り付けられた表面２１と防水上連続した開口部２の下側内面２２に貼り付けられて、この下側内面２２の屋外側の部位を覆っている。
このように、防水透湿シート６は、そのシート本体１１と延出片１４とで、開口部２の下縁部２６、即ち壁体５の表面２１と開口部２の下側内面２２とが連続する部分を覆った状態となっている。斯かる防水透湿シート６としては、例えば、防水性および透湿性を有する「タイベック」（商品名：デュポン社製）や「インバリア」（商品名：三菱樹脂株式会社製）、「耐水シート」（商品名：宇部興産株式会社製）などが使用される。
【００１８】
止水プレート７は、壁体５の表面２１における開口部２の下縁部２６の両端部２５，２５のそれぞれに、防水透湿シート６を介して取り付けられている。この止水プレート７は、矩形の板状をなすとともにコーナー部に略Ｌ字状の切欠部９０が設けられた第１止水片５１と、この第１止水片の略Ｌ字状の切欠部９０の２辺部から、それぞれ第１止水片５１に対して略直交するように立設されるとともに互いに略直交して接合された板状の第２止水片５２及び第３止水片５３とから一体に構成されている。これら第１止水片、第２止水辺及び第３止水片は、可撓性を有する樹脂製のものである。また、第１止水片５１は、開口部２の下縁部２６と側縁部２７とが連続する部分に切欠部９０の２辺部を合わせた状態で壁体５の表面２１に取り付けられている。また、第２止水片５２は、下側内面２２の端部２５に取り付けられている。更に、第３止水片５３は、下側内面２２と隣り合う内面、つまり側内面２４の端部に取り付けられている。このように、第１止水片、第２止水片及び第３止水片を備えた止水プレート７，７は、開口部２の下縁部２６の両端部２５，２５のそれぞれを壁体５の表面２１側から覆っている。また、これら止水プレート７，７は、サッシ下枠３の裏側、つまり壁体５と当接する側に位置している。
【００１９】
サッシ下枠３は、アルミ製の押出し形材であるそれぞれ２本の縦枠及び横枠を矩形状に組立てて形成されたサッシ枠８０の下枠部分である。斯かるサッシ下枠３は、防水透湿シート６の延出片１４と、該延出片１４が延出するシート本体１１のシート開口部１３の下縁部１２との上から開口部２の下縁部２６に取り付けられ、壁体５の表面２１における開口部２の下縁部２６と、開口部２の下側内面２２における屋外側の部位とを覆っている。なお、本実施の形態においては、サッシ下枠３は、壁体５の表面２１と開口部２の下側内面２２とにねじ４０を用いて取り付けられている。また、サッシ下枠３は、レール５４，…を備えており、斯かるレール５４，…の上部には、引き違いのガラス障子４１，４１と網戸４３とが、それぞれ摺動可能に設けられている。
【００２０】
次に、図２を参照し、以上のようなサッシ下枠の取付構造１を形成する手順を説明する。
まず、開口部２が設けられた壁体５を形成し（図２（ａ）参照）、図２（ｂ）に示すように、この壁体５の表面２１に、開口部２の周縁部１０によって囲まれる内側の部分を含めた壁体５の表面２１の全面を覆うように防水透湿シート６を貼り付ける（第１貼付工程）。
【００２１】
次に、図２（ｃ）に示すように、防水透湿シート６を、開口部２の左右側内面２４，２４及び上側内面２３に沿ってカットするとともに、壁体５の開口部２内の防水透湿シート部分を左右側内面２４，２４間に渡るように且つ壁体５の開口部２の下側内面２２から上側内面２３側に所定間隔あけてカットすることで、開口部２内に、開口部２の下側内面２２の側縁２６に沿う防水透湿シート部分から延出する延出片１４を形成する（第１切取工程）。なお、本実施の形態においては、前記所定間隔の長さを、壁体５の表面２１における開口部２の下縁部２６から、サッシ下枠３によって覆われるべき下側内面２２の屋内側の端部までの長さよりも長くなるようにしている。
【００２２】
次に、図２（ｄ）に示すように、防水透湿シート６の延出片１４の基端部を、開口部２の下側内面２２の側縁、つまり開口部２の下縁部２６に沿って折曲するとともに、開口部２の下側内面２２に接着剤やステープル等によって貼り付ける（第２貼付工程）。上記のような工程によって、防水透湿シート付き壁体９が形成される。
次に、図２（ｅ）に示すように、開口部２の下縁部２６の両端部２５，２５のそれぞれに、防水透湿シート６を介して止水プレート７を取り付ける（端部止水工程）。
【００２３】
次に、該止水プレート７及び防水透湿シート６の上からサッシ下枠３を開口部２の下縁部２６に取り付ける（取付工程）。また、サッシ下枠３のレール５４，…の内側に、ガラス障子４１，４１及び網戸４３を嵌め込む。
最後に、図２（ｆ）に示すように、サッシ下枠３の外周部分において下側内面２２と平行に屋内側に突出しているフィン部４４に沿って（図中の矢印の位置で）、防水透湿シート６の延出片１４の先端部をカットする（第２取付工程）。
【００２４】
以上のようなサッシ下枠の取付構造１によれば、壁体５の表面２１及び開口部２の下側内面２２に連続して貼り付けられた防水透湿シート６によって、サッシ下枠３が取り付けられた開口部２の下縁部２６から壁体５内部への雨水の浸入が防がれる状態、つまり防水透湿シート６のみで開口部２の下縁部２６の防水処理が施された状態となり、従来と異なり縁部止水材を開口部２に取り付ける必要がない分、サッシ下枠３が取り付けられる開口部２の下縁部２６を、低コストで容易に、十分な防水処理を施した状態とすることができる。
【００２５】
また、止水プレート７によって、サッシ下枠３の裏側における開口部２の下縁部２６の両端部２５をそれぞれ確実に防水することができる。従って、サッシ枠８０を形成する縦枠部とサッシ下枠３との接合部分に隙間がある場合であっても、この隙間の外周側に位置する開口部２の下縁部２６の端部２５は、止水プレート７によって防水処理された状態となる。
【００２６】
また、止水プレート７は、その第１止水片、第２止水片及び第３止水片とで、壁体５の表面２１と、下側内面２２と、該下側内面２２と隣り合う側内面２４とにおける、開口部２の下縁部２６の端部２５をそれぞれ覆っているので、止水プレート７を取り付けることによって、開口部２の下縁部２６をより確実に防水処理することができる。
【００２７】
なお、以上の実施の形態においては、開口部２の下縁部２６の両端部２５，２５には止水プレート７が取り付けられることとして説明したが、これに限らず、サッシ枠８０の縦枠と横枠とが樹脂を押出し成形してなるとともに、互いに溶着されて接合されるものである場合など、サッシ枠８０のサッシ下枠３と縦枠との接合部分に隙間がなく、開口部２の下縁部２６の端部２５の防水処理が必要ない場合には、止水プレート７を用いないこととしてもよい。
【００２８】
また、サッシ下枠３の上部には、引き違いのガラス障子４１などが設けられるものとして説明したが、嵌め込み窓や上げ下げ窓、滑り出し窓、内倒し窓、滑り開き窓、外倒し窓などが設けられるものとしても良い。
【００２９】
【発明の効果】
請求項１記載の発明によれば、従来と異なり縁部止水材を開口部に取り付ける必要がない分、サッシ下枠が取り付けられる開口部の下縁部を、低コストで容易に、十分な防水処理を施した状態とすることができる。
【００３０】
また、止水プレートによって、サッシ下枠の裏側における開口部の下縁部の両端部をそれぞれ確実に防水することができる。
【００３１】
また、止水プレートを取り付けることによって、開口部の下縁の両角部を確実に防水することができる。
【図面の簡単な説明】
【図１】本発明に係るサッシ下枠の取付構造及び壁体の実施の形態を示す図であり、（ａ）は、縦断面図であり、（ｂ）は、斜視図である。
【図２】本発明に係るサッシ下枠の取付方法の手順を説明する図である。
【符号の説明】
１  サッシ下枠の取付構造
２  開口部
３  サッシ下枠
５  壁体
６  防水透湿シート
７  止水プレート
９  防水透湿シート付き壁体
１１  シート本体
１２  シート開口部の下縁部
１３  シート開口部
１４  延出片
２１  壁体の表面
２２  開口部の下側内面
２３  開口部の上側内面
２４  開口部の側内面（下側内面と直交する内面）
２５  開口部の下縁部の端部
２６  開口部の下縁部
５１  第１止水片
５２  第２止水片
５３  第３止水片
９０  切欠部
【図１】
0003971956.tif 000002
【図２】
0003971956.tif 000003